(57)【要約】  ディスプレイパネルの内部に設けた回路基板６と、回路基板６上に設けたコネクタ１１に装着するフラットケーブル１０と、ディスプレイパネルの回転軸側の位置に回路基板６と略同一な高さで設けられ、開口縁部のコーナーが所定値以上の曲率半径で形成されており、コネクタ１１に装着したフラットケーブル１０をディスプレイパネルの外部へ引き出す出口部１０Ａと、コネクタ１１に装着したフラットケーブル１０が接触するコーナーが所定値以上の曲率半径で形成されており、当該フラットケーブル１０を屈曲させずに出口部１０Ａへ導く平面部４ｂ及び当たり部１３からなる引き出し経路部とを備える。
2012035587.tif 000002
【特許請求の範囲】
【請求項１】
回転軸を周りにディスプレイパネルが回動して開閉するディスプレイ装置であって、
前記ディスプレイパネルの内部に設けた回路基板と、
前記回路基板上に設けたコネクタに装着するフラットケーブルと、
前記ディスプレイパネルの回転軸側の位置に前記回路基板と略同一な高さで設けられ、開口縁部のコーナーが所定値以上の曲率半径で形成されており、前記コネクタに装着した前記フラットケーブルを前記ディスプレイパネルの外部へ引き出す出口部と、
前記コネクタに装着した前記フラットケーブルが接触するコーナーが所定値以上の曲率半径で形成されており、当該フラットケーブルを屈曲させずに前記出口部へ導く引き出し経路部とを備えたディスプレイ装置。
【請求項２】
前記引き出し経路部は、
前記コネクタに装着した前記フラットケーブルが前記出口部に至るまでに通る前記回路基板と略同一な高さの平面部と、
前記平面部に対向して設けられ、前記フラットケーブルに接触されるコーナーが所定値以上の曲率半径で形成されており、前記平面部の反対側から当該フラットケーブルに接触して屈曲させずに前記出口部へ導く当たり部とから構成されることを特徴とする請求項１記載のディスプレイ装置。
【請求項３】
前記コネクタに装着された前記フラットケーブルの動きを規制する動き規制機構を備えたことを特徴とする請求項１記載のディスプレイ装置。
【発明の詳細な説明】
【技術分野】
【０００１】
この発明は、ディスプレイ筐体内の回路基板に実装されたコネクタに装着したフラットケーブルをディスプレイ筐体外部へ引き出す構造に関する。
【背景技術】
【０００２】
従来のディスプレイ装置として、抜き部分が形成されたフレームと、このフレーム内の回路基板に実装されたスライダー部付きのコネクタと、このコネクタにスライダー部を介して一端が接続され、他端がフレームの抜き部分を通ってフレーム外で表示面と反対面側に屈曲されたフラットケーブルとを備えたものがある（例えば、特許文献１参照）。
このディスプレイ装置では、コネクタに装着されたフラットケーブルをフレームに沿って屈曲させても、フラットケーブルがフレームの抜き部分の外縁部である枠部分に支持されて、コネクタのスライダー部に開放方向の力が加わることが抑制される。これにより、コネクタからのフラットケーブルの脱離を防止することができる。
【先行技術文献】
【特許文献】
【０００３】
【特許文献１】特開２０００−３９６２１号公報
【発明の概要】
【０００４】
特許文献１に代表される従来の構造を、開閉式のディスプレイ装置に適用した場合に、フラットケーブルにおけるフレームの抜き部分と接触する部分で、ディスプレイパネルの開閉に伴ってフラットケーブルの屈曲による応力が集中する。これにより、ディスプレイパネルの開閉が繰り返されると、当該フラットケーブルが、フレームの抜き部分との接触部分で断線する可能性がある。
【０００５】
この発明は、上記のような課題を解決するためになされたもので、ディスプレイパネルの開閉に伴うフラットケーブルへの負荷を低減して断線を防止できるディスプレイ装置を得ることを目的とする。
【０００６】
この発明に係るディスプレイ装置は、回転軸を周りにディスプレイパネルが回動して開閉するディスプレイ装置であって、ディスプレイパネルの内部に設けた回路基板と、回路基板上に設けたコネクタに装着するフラットケーブルと、ディスプレイパネルの回転軸側の位置に回路基板と略同一な高さで設けられ、開口縁部のコーナーが所定値以上の曲率半径で形成されており、コネクタに装着したフラットケーブルをディスプレイパネルの外部へ引き出す出口部と、コネクタに装着したフラットケーブルが接触するコーナーが所定値以上の曲率半径で形成されており、当該フラットケーブルを屈曲させずに出口部へ導く引き出し経路部とを備えるものである。
【０００７】
この発明によれば、ディスプレイパネルの開閉に伴うフラットケーブルへの負荷を低減して断線を防止できるという効果がある。
【図面の簡単な説明】
【０００８】
【図１】この発明が適用されるディスプレイ装置のディスプレイパネル部分の分解斜視図である。
【図２】図１のディスプレイパネル部分の組み付け後を示す斜視図である。
【図３】従来のディスプレイパネルにおける前面パネル側の構成を示す斜視図である。
【図４】従来のディスプレイパネルの閉状態の断面図である。
【図５】従来のディスプレイパネルの開状態の断面図である。
【図６】この発明の実施の形態１によるディスプレイ装置の前面パネル側の構成を示す斜視図である。
【図７】実施の形態１によるディスプレイ装置の背面パネルを示す斜視図である。
【図８】実施の形態１のディスプレイパネルの閉状態の断面図である。
【図９】実施の形態１のディスプレイパネルの開状態の断面図である。
【図１０】補強板の組み付け前の状態を示す斜視図である。
【図１１】補強板の組み付け後の状態を示す斜視図である。
【発明を実施するための形態】
【０００９】
以下、この発明をより詳細に説明するため、この発明を実施するための形態について、添付の図面に従って説明する。
実施の形態１．
図１は、この発明が適用されるディスプレイ装置のディスプレイパネル部分の分解斜視図であり、図２は、図１のディスプレイパネル部分の組み付け後を示す斜視図である。図１において、液晶３及びホルダ４がネジにより前面パネル５に固定され、このホルダ４に回路基板６及びシールド板金７が取り付けられる。回路基板６には、コネクタ１１が実装されており、このコネクタ１１にはフラットケーブル１０が装着される。
【００１０】
これらの液晶３、ホルダ４、回路基板６及びシールド基板７を取り付けた前面パネル５に背面パネル８を組み付けることで、図２に示すディスプレイパネル１が構築される。なお、前面パネル５の開口部９で液晶３を露出させることで表示画面となる。また、ディスプレイパネル１には、図２に示すように回転軸部１２が左右に設けられ、回転軸部１２の回転軸を中心にディスプレイパネル１が回動することにより開閉する。
【００１１】
図３は、従来のディスプレイパネルにおける前面パネル側の構成を示す斜視図である。図３に示すように、従来のディスプレイパネルでは、ホルダ４におけるフラットケーブル１０の出口側の縁部４ａが、回転軸部１２の回転軸を取り付けるため、回路基板６を含む平面に対して背面パネル８側に隆起した構成となっている。従って、回路基板６上のコネクタ１１に装着されたフラットケーブル１０をディスプレイパネル外部へ引き出すには、ホルダ４の縁部４ａを乗り越える必要がある。
【００１２】
図４は、従来のディスプレイパネルの閉状態の断面図であり、図２のＡ−Ａ線に沿って切断したディスプレイパネルにおける、フラットケーブル１０の出口側の断面を示している。従来のディスプレイ装置は、図４に示すように、ホルダ４の縁部４ａが背面パネル８側に隆起しており、出口部１０ａが前面パネル５側に形成されている。フラットケーブル１０は、ホルダ４の縁部４ａを乗り越えて、出口部１０ａの方向に屈曲してからホルダ４と背面パネル８の内壁との間の狭いスペースを通って出口部１０ａから引き出される。
【００１３】
このように、ホルダ４の縁部４ａと背面パネル８の内壁との間は、外部に引き出すフラットケーブル１０を通すスペースを確保する必要があるため、背面パネル８の肉厚を厚くすることができない。このため、出口部１０ａの開口の端部は、背面パネル８の肉厚に応じて、不可避的に曲率半径Ｒが小さいコーナー部となる。従って、出口部１０ａの端部に接触したフラットケーブル１０は、大きな曲率で急峻に屈曲しながら引き出される。
【００１４】
図５は、従来のディスプレイパネルの開状態の断面図であり、図４と同様に、図２のＡ−Ａ線に沿って切断したディスプレイパネルにおける、フラットケーブル１０の出口側の断面を示している。ディスプレイパネルを、図４で示した閉状態から、図５の矢印方向に開くと、フラットケーブル１０には屈曲による応力が加わる。
すなわち、フラットケーブル１０は、縁部４ａを乗り越えた後、出口部１０ａの方向に一度屈曲し、その屈曲位置からさらに前面パネル５側の位置にある出口部１０ａで引き出される。このとき、ディスプレイパネルを開状態にすると、出口部１０ａにおけるフラットケーブル１０の屈曲方向が、図５に示すように、図４の閉状態の場合とは逆方向になるほど大きく折り曲がる。このため、ディスプレイパネルの開閉が繰り返されると、出口部１０ａでのフラットケーブル１０に屈曲による応力からフラットケーブル１０が断線する可能性がある。
【００１５】
そこで、この発明では、コネクタ１１に装着したフラットケーブル１０をディスプレイパネルの外部へ引き出す出口部を、ディスプレイパネルの回転軸側の位置に回路基板６と略同一な高さで形成するとともに、コネクタ１１に装着したフラットケーブル１０を屈曲させずに出口部へ導く引き出し経路部を設ける。さらに、出口部の開口縁部のコーナーと引き出し経路部のコーナーとを所定値以上の曲率半径Ｒで形成し、これらコーナーに接触したフラットケーブル１０が小さな曲率で緩やかに屈曲するように構成する。このように構成することで、ディスプレイパネルの開閉に伴うフラットケーブル１０への応力負荷を低減して断線を防止できる。以下、具体的な構成を説明する。
【００１６】
図６は、この発明の実施の形態１によるディスプレイ装置の前面パネル側の構成を示す斜視図であり、図１から図５と同一又はこれに相当する構成には同一符号を付している。図６に示すように、この発明では出口部１０Ａを回路基板６と略同一な高さに形成する。また、ホルダ４の出口部１０Ａ側の縁部４ａにおける、外部に引き出すフラットケーブル１０が通る経路を、回路基板６と同じ高さの平面部４ｂとする。
例えば、ホルダ４の出口部１０Ａ側の縁部４ａは、図６に示すように、背面パネル８側に凸になるように折り曲げられた板材であることから、端部４ａにおける、コネクタ１１に装着されたフラットケーブル１０が通る部分に切り込みを入れて、図６で破線で囲んだ部分Ａのように、回路基板６と略同一な高さとなるように一段落として平面部４ｂを形成する。
【００１７】
図７は、実施の形態１によるディスプレイ装置の背面パネルを示す斜視図である。背面パネル８には、図７に示すようにフラットケーブル１０との当たり部１３を設ける。この当たり部１３が、平面部４ｂの反対側からフラットケーブル１０に接触することで、図８を用いて後述するように、フラットケーブル１０が屈曲せずに出口部１０Ａへ導かれる。つまり、平面部４ｂ及び当たり部１３が、フラットケーブル１０を屈曲させずにそのまま直進して出口部１０Ａへ導く引き出し経路部となる。
【００１８】
なお、図６において、フラットケーブル１０が通るホルダ４の部分に切り込みを入れ、回路基板６と略同一な高さとなるように折り曲げて、平面部４ｂを形成する場合を示したが、これに限定されるものではない。例えば、フラットケーブル１０が通るホルダ４の部分を切り欠き、別個に平面部となる部材を取り付けてもよい。この場合においても、フラットケーブル１０が接触する部分に板金等の曲率半径Ｒが小さいエッジを設けない。
【００１９】
図８は、実施の形態１のディスプレイパネルの閉状態の断面図であり、図４と同様に、図２のＡ−Ａ線に沿って切断したディスプレイパネルにおける、フラットケーブル１０の出口側の断面を示している。実施の形態１のディスプレイ装置では、上述したように、ホルダ４におけるフラットケーブル１０が通る部分が、回路基板６と略同一な高さの平面部４ｂとなっている。
また、出口部１０Ａも、図８に示すように回路基板６と略同一な高さにある。背面パネル８の当たり部１３とホルダ４の平面部４ｂとによって、フラットケーブル１０は、屈曲することなく、出口部１０Ａから外部に引き出される。
さらに、当たり部１３のコーナー部ａ１、出口部１０Ａの開口縁部のコーナー部ａ２、及び出口部１０Ａの開口縁部のコーナー部ａ３を、フラットケーブル１０が所定値未満の曲率で緩やかに屈曲する所定値以上の曲率半径Ｒで形成する。
【００２０】
図９は、実施の形態１のディスプレイパネルの開状態の断面図であり、図８と同様に、図２のＡ−Ａ線に沿って切断したディスプレイパネルにおける、フラットケーブル１０の出口側の断面を示している。ディスプレイパネルを、図８で示した閉状態から図９の矢印方向に開いても、フラットケーブル１０は、図９に示すように、出口部１０Ａの開口縁部のコーナーで緩やかに屈曲する。従って、ディスプレイパネルの開閉を繰り返しても、フラットケーブル１０に屈曲による応力が大幅に軽減され、フラットケーブル１０の断線を防止することができる。
【００２１】
以上のように、この実施の形態１によれば、ディスプレイパネルの内部に設けた回路基板６と、回路基板６上に設けたコネクタ１１に装着するフラットケーブル１０と、ディスプレイパネルの回転軸側の位置に回路基板６と略同一な高さで設けられ、開口縁部のコーナーが所定値以上の曲率半径で形成されており、コネクタ１１に装着したフラットケーブル１０をディスプレイパネルの外部へ引き出す出口部１０Ａと、コネクタ１１に装着したフラットケーブル１０が接触するコーナーが所定値以上の曲率半径で形成されており、当該フラットケーブル１０を屈曲させずに出口部１０Ａへ導く平面部４ｂ及び当たり部１３からなる引き出し経路部とを備える。このように構成することで、ディスプレイパネルの開閉に伴うフラットケーブル１０への応力負荷を低減することができ、負荷の蓄積によるフラットケーブル１０の断線を防止できる。
【００２２】
なお、上記実施の形態１では、平面部４ｂ及び当たり部１３からなる引き出し経路部を説明したが、本発明は、この構成に限定されるものではない。例えば、背面パネル８側に平面部を設け、ホルダ４に当たり部を設けてもよく、またホルダ４と背面パネル８の双方に平面部又は当たり部を設けた構成であってもよい。すなわち、コネクタ１１に装着したフラットケーブル１０を屈曲させずに出口部１０Ａへ導く構成であればよい。
【００２３】
また、上記実施の形態１において、フラットケーブル１０の抜き差しでコネクタ１１にかかる負荷を軽減するため、以下のようなフラットケーブル１０の動きを規制する機構を設けてもよい。
図１０は、補強板の組み付け前の状態を示す斜視図であり、図１１は、図１０の補強板の取り付け後の状態を示す斜視図である。図１０及び図１１において、図１から図９までと同一又はこれに相当する構成には同一符号を付している。
フラットケーブル１０をディスプレイパネルの外部（不図示）のコネクタから抜き差しする際、フラットケーブル１０が、その幅方向又は上下方向に動いてコネクタ１１に負荷がかかり、コネクタ１１から外れる可能性がある。
【００２４】
そこで、図１０及び図１１に示すように、フラットケーブル１０の動きを規制する補強板１４及びピン４ｃを設ける。図１０に示す例では、フラットケーブル１０の幅と略同一な間隔でピン４ｃが平面部４ｂに形成される。コネクタ１１に装着したフラットケーブル１０をピン４ｃの間に通すことで、フラットケーブル１０の幅方向の動きが規制される。さらに、補強板１４には、ピン４ｃを挿入する係合穴１４ａが形成され、その両端には、取り付け係合部１４ｂがそれぞれ形成される。
【００２５】
平面部４ｂは、上述のように、ホルダ４のフラットケーブル１０が通る部分に切り込みを入れ、回路基板６と略同一な高さとなるように一段落として形成することから、平面部４ｂの左右両側には、図１０に示すような切り欠き部４ｄが形成される。
補強板１４は、この切り欠き部４ｄに補強板１４の取り付け係合部１４ｂを差し込み、係合穴１４ａにピン４ｃを挿入することにより取り付けられる。
このように構成することで、フラットケーブル１０の幅方向及び上下方向の動きが規制され、フラットケーブル１０の抜き差しによってコネクタ１１にかかる負荷を大幅に軽減することが可能である。これにより、フラットケーブル１０の抜き差しによる負荷でコネクタ１１からフラットケーブル１０が外れることを防止することができる。
【００２６】
ピン４ｃ及び取り付け係合部１４ｂの代わりに、補強板を介して上からフラットケーブル１０をネジ止めしても、上記と同様の効果を得ることができる。
【００２７】
なお、本発明は、その発明の範囲内において、上記実施の形態に示した構成を、適宜、変形、省略することが可能である。
【産業上の利用可能性】
【００２８】
この発明に係るディスプレイ装置は、ディスプレイパネルの開閉に伴うフラットケーブルへの応力負荷を低減して断線を防止できることから、開閉の頻度が多い、例えば車載用のディスプレイ装置に好適である。
【図１】
2012035587.tif 000003
【図２】
2012035587.tif 000004
【図３】
2012035587.tif 000005
【図４】
2012035587.tif 000006
【図５】
2012035587.tif 000007
【図６】
2012035587.tif 000008
【図７】
2012035587.tif 000009
【図８】
2012035587.tif 000010
【図９】
2012035587.tif 000011
【図１０】
2012035587.tif 000012
【図１１】
2012035587.tif 000013
【手続補正書】
【提出日】平成25年5月23日(2013.5.23)
【手続補正１】
【補正対象書類名】明細書
【補正対象項目名】０００６
【補正方法】変更
【補正の内容】
【０００６】
この発明に係るディスプレイ装置は、回転軸を周りにディスプレイパネルが回動して開閉するディスプレイ装置であって、ディスプレイパネルの内部に設けた回路基板と、回路基板上に設けたコネクタに装着するフラットケーブルと、ディスプレイパネルの回転軸側の位置に回路基板と略同一な高さで設けられ、開口縁部のコーナーが所定値以上の曲率半径で形成されており、コネクタに装着したフラットケーブルをディスプレイパネルの外部へ引き出す出口部と、コネクタに装着したフラットケーブルを屈曲させずに出口部へ導く引き出し経路部とを備え、引き出し経路部は、フラットケーブルが出口部に至るまでに通る回路基板と略同一な高さで形成されており、フラットケーブルが接触するコーナーが所定値以上の曲率半径で形成された平面部と、平面部に対向して出口部に設けられ、フラットケーブルに接触されるコーナーが所定値以上の曲率半径で形成されており、平面部の反対側からフラットケーブルに接触する当たり部とから構成されることを特徴とするものである。
【手続補正２】
【補正対象書類名】特許請求の範囲
【補正対象項目名】全文
【補正方法】変更
【補正の内容】
【特許請求の範囲】
【請求項１】
回転軸を周りにディスプレイパネルが回動して開閉するディスプレイ装置であって、
前記ディスプレイパネルの内部に設けた回路基板と、
前記回路基板上に設けたコネクタに装着するフラットケーブルと、
前記ディスプレイパネルの回転軸側の位置に前記回路基板と略同一な高さで設けられ、開口縁部のコーナーが所定値以上の曲率半径で形成されており、前記コネクタに装着した前記フラットケーブルを前記ディスプレイパネルの外部へ引き出す出口部と、
前記コネクタに装着した前記フラットケーブルを屈曲させずに前記出口部へ導く引き出し経路部とを備え、
前記引き出し経路部は、
前記フラットケーブルが前記出口部に至るまでに通る前記回路基板と略同一な高さで形成されており、前記フラットケーブルが接触するコーナーが所定値以上の曲率半径で形成された平面部と、
前記平面部に対向して前記出口部に設けられ、前記フラットケーブルに接触されるコーナーが所定値以上の曲率半径で形成されており、前記平面部の反対側から前記フラットケーブルに接触する当たり部とから構成されることを特徴とするディスプレイ装置。
【請求項２】
前記コネクタに装着された前記フラットケーブルの動きを規制する動き規制機構を備えたことを特徴とする請求項１記載のディスプレイ装置。
【国際調査報告】
2012035587.tif 000014
2012035587.tif 000015
2012035587.tif 000016
2012035587.tif 000017